(57)【要約】  本発明は、輸液点滴を計数する計数装置に関し、計数装置が別個の輸液筒用のネスト（Ｎ）を有するフレーム（Ｆ）および輸液筒をネスト（Ｎ）内に保つようネスト（Ｎ）を閉鎖しまたは違ったやり方で閉じ込めるよう配置されたラッチ（Ｈ，ＨＡ）を有し、計数装置フレーム（Ｆ）が輸液筒を支持する位置決め構造体（ＧＲ）として位置決め溝を更に有し、計数装置が点滴を検出する測定構造体（ＴＸ，ＲＸ，ＭＣＵ）を更に有する。異なる形式の輸液筒に関し、計数装置のフレームは、フレーム（Ｆ）の垂直方向におけるネスト内に配置された輸液筒の上昇運動を阻止するよう配置された第２の位置決め構造体（ＰＳ２，ＰＳ２２）を有する。フレーム（Ｆ）の垂直方向における輸液筒の上昇運動を阻止するよう配置された第２の位置決め構造体（ＰＳ２，ＰＳ２２）は、位置決め溝型の位置決め構造体（ＧＲ）から距離を置いたところに位置するとともに、フレーム（Ｆ）の垂直方向に関して位置決め溝型の位置決め構造体（ＧＲ）とは異なる高さのところに配置されている。
2019514572.tif 000002
【特許請求の範囲】
【請求項１】
輸液点滴を計数する計数装置であって、前記計数装置が別個の輸液筒用のネスト（Ｎ）を有するフレーム（Ｆ）および前記輸液筒を前記ネスト（Ｎ）内に保つよう前記ネスト（Ｎ）を閉鎖しまたは違ったやり方で閉じ込めるよう配置されたラッチ（Ｈ，ＨＡ）を有し、前記計数装置フレーム（Ｆ）が前記輸液筒を支持する位置決め構造体（ＧＲ）として位置決め溝を更に有し、前記計数装置が前記点滴を検出する測定構造体（ＴＸ，ＲＸ，ＭＣＵ）を更に有する、計数装置において、異なる形式の輸液筒に関し、前記計数装置の前記フレームは、前記フレーム（Ｆ）の垂直方向における前記ネスト内に配置された前記輸液筒の上昇運動を阻止するよう配置された第２の位置決め構造体（ＰＳ２，ＰＳ２２）を有し、前記フレーム（Ｆ）の前記垂直方向における前記輸液筒の前記上昇運動を阻止するよう配置された前記第２の位置決め構造体（ＰＳ２，ＰＳ２２）は、前記位置決め溝型の前記位置決め構造体（ＧＲ）から距離を置いたところに位置するとともに、前記フレーム（Ｆ）の前記垂直方向に関して前記位置決め溝型の前記位置決め構造体（ＧＲ）とは異なる高さのところに配置されている、計数装置。
【請求項２】
前記第２の位置決め構造体（ＰＳ２，ＰＳ２２）は、前記フレームの前記垂直方向に関して高いところに配置され、したがって前記位置決め溝型の前記位置決め構造体（ＧＲ）よりも前記フレーム（Ｆ）の頂縁の近くに位置している、請求項１記載の計数装置。
【請求項３】
前記第２の位置決め構造体（ＰＳ２，ＰＳ２２）は、前記フレーム（Ｆ）の前記ネスト（Ｎ）の頂部のところに配置されている、請求項１または２記載の計数装置。
【請求項４】
前記第２の位置決め構造体（ＰＳ２，ＰＳ２２）は、前記フレームの頂部のところに位置する前記フレーム（Ｆ）の構成要素である前記ネスト（Ｎ）の前記頂部のところに配置されている、請求項３記載の計数装置。
【請求項５】
前記第２の位置決め構造体は、前記フレームの前記垂直方向における前記ネスト内に配置された前記輸液筒の前記上昇運動を阻止するよう配置された前記ネストの前記頂部の縮径構造体から成る、請求項１〜４のうちいずれか一に記載の計数装置。
【請求項６】
前記ラッチの垂直位置は、前記ラッチが前記第２の位置決め構造体よりも前記フレームの底部の近くに配置されるような位置である、請求項１記載の計数装置。
【請求項７】
前記ラッチの垂直位置は、前記ラッチが前記位置決め溝型の前記位置決め構造体よりも前記フレームの底部の近くに配置されるような位置である、請求項１または５記載の計数装置。
【請求項８】
前記ラッチの前記垂直位置は、前記ラッチが前記位置決め構造体よりも前記フレームの前記底部の近くに配置されるような位置である、請求項６または７記載の計数装置。
【請求項９】
前記ネスト（Ｎ）は、前記ネストの後ろのところに、前記輸液筒（ＣＨ１，ＣＨ２）の追加の支持のための阻止構造体（ＳＴ１，ＳＴ２）を有する、請求項１記載の計数装置。
【請求項１０】
前記ネスト（Ｎ）内の前記阻止構造体（ＳＴ１，ＳＴ２）は、前記ネストを閉鎖しまたは違ったやり方で前記ネストを閉じ込める前記ラッチ（Ｈ，ＨＡ）と実質的に同じ高さのところに位置している、請求項９記載の計数装置。
【請求項１１】
前記阻止構造体（ＳＴ１，ＳＴ２）は、前記ネスト（Ｎ）の前記垂直方向に関して前記ネスト（Ｎ）の中央領域に位置している、請求項９または１０記載の計数装置。
【請求項１２】
前記フレーム（Ｆ）は、互いに向かい合った互いに平行な枝部（Ｓ１，Ｓ２）を有し、前記輸液筒用の前記ネスト（Ｎ）は、前記フレームの前記枝部（Ｓ１，Ｓ２）相互間に位置している、請求項９〜１１のうちいずれか一に記載の計数装置。
【請求項１３】
前記フレームの前記垂直方向における前記ラッチの高さは、前記輸液筒用の前記ネストの高さよりも低い、請求項１または７記載の計数装置。
【請求項１４】
前記ネスト（Ｎ）は、前記ラッチ（Ｈ）の上方の領域のところに、開口部または別の透明な領域（Ｗ１）を有する、請求項１または１３記載の計数装置。
【請求項１５】
前記ネスト（Ｎ）は、前記ラッチ（Ｈ）の下方の領域に、開口部または別の透明な領域（Ｗ２）を有する、請求項１、１３または１４記載の計数装置。
【請求項１６】
前記ラッチ（Ｈ）は、開放可能なラッチ部分（ＨＡ）を有するとともに更に、前記フレームに対して前記ラッチ部分の回転運動のために回転を可能にする締結具および前記フレーム（Ｆ）に対して前記ラッチ部分（ＨＡ）の自由端部（ＨＡＥ）を閉鎖する閉鎖手段（ＣＬ）を有する、請求項１または７記載の計数装置。
【請求項１７】
前記ラッチ部分のための前記回転を可能にする締結具は、前記ラッチ部分を前記フレームから取り外したり前記ラッチ部分を前記フレームに取り付けたりするためのクイックリリース回転締結具（ＦＸ８，ＦＸ９）である、請求項１６記載の計数装置。
【請求項１８】
前記ラッチ部分（ＨＡ）のための前記クイックリリース回転締結具（ＦＸ９）は、プッシュ回転構造体（ＰＴ１，ＰＴ２，ＰＴ３，ＰＴ４，ＰＴ５）を有し、前記ラッチ部分（ＨＡ）は、前記プッシュ回転構造体によって、前記計数装置の前記フレーム（Ｆ）に取り付け可能であったり前記計数装置の前記フレーム（Ｆ）から取り外し可能であったりするよう構成されている、請求項１７記載の計数装置。
【請求項１９】
前記回転を可能にする締結具は、前記フレーム（Ｆ）の前記第１の枝部（Ｓ１）のところに位置し、前記閉鎖手段は、前記フレーム（Ｆ）の前記第２の枝部（Ｓ２）のところに位置している、請求項１２または１６記載の計数装置。
【請求項２０】
前記開放可能なラッチ部分（ＨＡ）は、前記計数装置に設けられるとともに前記測定構造体（ＴＸ，ＲＸ）と通信するデータ処理ユニット（ＭＣＵ）および前記データ処理ユニットと通信するディスプレイ（Ｄ）が前記データ処理ユニットの前記フレーム（Ｆ）内に位置するような単に機械的な構造体である、請求項１記載の計数装置。
【請求項２１】
前記計数装置は、前記測定構造体（ＲＸ，ＴＸ）の配置箇所を指示するＬＥＤ灯または別の表示器（ＩＬ）を有する、請求項１記載の計数装置。
【請求項２２】
前記計数装置は、ＬＥＤ灯または別の表示器（ＩＬ）を更に有し、前記計数装置は、輸液点滴が前記測定構造体（ＴＸ，ＲＸ）によって検出されたときに前記表示器（ＩＬ）がその入力のところで受け取る制御を変更するよう構成され、前記表示器（ＩＬ）は、その出力信号を変化させるよう構成されている、請求項１または２１記載の計数装置。
【請求項２３】
前記ラッチ（Ｈ）の前記回転ラッチ部分（ＨＡ）は、輸液筒用の前記ネスト（Ｎ）の方へ差し向けられた可撓性構造体（Ｆ）を有する、請求項１記載の計数装置。
【発明の詳細な説明】
【技術分野】
【０００１】
本発明は、点滴カウンタまたは計数装置に関する。
【背景技術】
【０００２】
点滴カウンタは、静脈内水分補給または点滴静注との関連で医薬の分野において用いられている。点滴カウンタによって、患者が所望の時間内で所望量の輸液を得るようにすることが確保される。
【０００３】
輸液の点滴速度は、輸液が患者のために定量投与される速度を意味している。従来、点滴速度は、１分間当たりの点滴の測定数として表示されているが、点滴速度はまた、一滴の量が前もって知られている場合かつ点滴の上述の分単位の個数が決定された場合に１時間当たりのミリリットルとしても表示される場合がある。
【０００４】
点滴カウンタに関し、点滴量の測定は、例えばＬＥＤ（発光ダイオード）光源およびその対としてのフォトトランジスタによって光学的に実施される。最新式の点滴計数装置は、この計数装置が点滴の個数を測定し、そのデータ処理ユニットおよびディスプレイにより計数装置が点滴の個数およびこの点滴個数によって計算されて患者に送られる液体体積（液量）を示すようなものである。加うるに、点滴カウンタは、調節可能な警告しきい値を備えており、かかる警告しきい値によって計数装置は、輸液の点滴速度が所望レベルの状態にない場合またはあらかじめ設定された最大量の輸液が投与され、すなわち、点滴された場合に看護職員のための警告を出す。
【０００５】
先行技術の点滴カウンタは、点滴計数装置に対して支持されるべき別個の輸液管類が備えるのがどのような種類の輸液筒であるかに関してこれらの構造において制限されている。上述の理由で、ユーザは、その問題を認識する必要があり、特に問題のカウンタモデルに適した輸液筒を備える輸液管類が利用可能であることが必要である。この問題は、同じ看護医療機関が互いに異なる種類の輸液管類を用いた点滴カウンタを有する場合に顕著になるが、と言うのは、これが計数装置を用いている人を混乱させる場合があるからである。さらに、別々の組をなす点滴管類が典型的には非常に高価であることが事実であり、このことは、最も経済性に優れた代替手段をより自由に選択できる状況と比較して、１回使用の輸液管類の経常費を増大させるという問題である。
【０００６】
幾つかの先行技術の計数装置が米国特許出願公開第２０１０／３０９００５号明細書および欧州特許第０２０９６５９号明細書に開示されているが、これら特許文献に開示された構造は、上述の問題の解決には役立たず、と言うのは、これら計数装置は、種々の形式の筒には適していないからである。
【先行技術文献】
【特許文献】
【０００７】
【特許文献１】米国特許出願公開第２０１０／３０９００５号明細書
【特許文献２】欧州特許第０２０９６５９号明細書
【発明の概要】
【発明が解決しようとする課題】
【０００８】
かくして、本発明の目的は、上述の問題を解決しまたは軽減することができるような新規形式の計数装置を提供することにある。本発明の目的は、独立形式の請求項に開示された内容によって特徴付けられる計数装置によって達成される。本発明の好ましい実施形態は、独立形式の請求項に開示されている。
【課題を解決するための手段】
【０００９】
本発明は、計数装置がより汎用性になるような構造体の改造に基づいている。
【００１０】
本発明の計数装置の利点は、種々の互いに異なる動作環境に見合ったその利用可能性ならびにその信頼性および使いやすさにある。
【００１１】
次に、添付の図面を参照して好ましい実施形態と関連して本発明について詳細に説明する。
【図面の簡単な説明】
【００１２】
【図１】カラーなしの輸液筒を備えた装置の正面図である。
【図２】カラーを備えた輸液筒を有する装置の正面図である。
【図３】輸液筒なしの装置の正面図である。
【図４】装置の後ろから見た図であり、輸液筒がカラーおよび半開放位置にあるラッチを備えた状態を示す図である。
【図５】装置を後ろから見た図であり、輸液筒がカラーおよび閉鎖位置にあるラッチを有している状態を示す図である。
【図６】装置を後ろから見た図であり、ラッチが閉鎖位置にある状態を示す図である。
【図７】可撓性構造体を備えたラッチ部分を示す図である。
【図８Ａ−Ｂ】図８Ａ、図８Ｂは、ばねロック式ラッチを備えた装置を示す図である。
【図９Ａ−Ｅ】図９Ａ〜図９Ｅは、プッシュ回転型のラッチを取り付ける種々の段階で装置を示す図（Ａ〜Ｅ）である。
【図１０】プッシュ回転型のラッチのロック構造体を示す図であり、このラッチのヒンジ側が装置フレームの枝部の裏面に設けられている状態を示す図である。
【図１１】表示器としてのＬＥＤを備えた装置を示す図である。
【図１２】装置の測定機能のブロック図である。
【発明を実施するための形態】
【００１３】
先ず最初に、図１〜図６に記載された構造体を特に考察するが、これら構造体は、互いに類似しており、また、ラッチＨの取り付け／固定に関するが、開示説明内容は、大部分に関して、他の図に示された構造体にも利用可能であり、と言うのは、これらの変形例は、大抵の場合、ラッチの構造体またはラッチの取り付けによって必要とされる構造体に関するからである。
【００１４】
かくして、問題の装置は、カウンタまたは計数装置ＤＣ、すなわち、輸液点滴を計数する点滴カウンタである。液体、換言すると、輸液は、生理食塩水またはリンゲル液であるのが良い。本発明は、この種の液体には限定されない。医薬物質または栄養素が輸液中に加えられているのが良い。液滴は、移送チャネル、例えば管類Ｔ１，Ｔ２によって運ばれる輸液から輸液筒ＣＨ１，ＣＨ２に入る。図１では、カラーなしの輸液筒ＣＨ２が装置ＤＣ内に設けられており、液体は、管Ｔ２によって上からこの輸液筒に送られ、この管は、輸液筒ＣＨ２の下に管Ｔ２２として続き、この管Ｔ２２は、液体を患者の体内の静脈に運ぶ。図２、図４および図５では、カラー、すなわちカラーＣＯＬ付きの液体筒ＣＨ１が装置ＤＣ内に収納されており、液体は管Ｔ１によって上から送られ、この管は、液体筒ＣＨ１の下で、管Ｔ１１として続き、この管Ｔ１１は、液体を患者の体内の静脈に運ぶ。
【００１５】
装置ＤＣは、別個の輸液筒ＣＨ１のため、これに対応するＣＨ２のためのネストＮを備えたフレームＦを有する。加うるに、この装置は、ラッチＨを有し、このラッチＨは、輸液筒ＣＨ１，ＣＨ２をネストＮ内に保つためにネストＮを閉鎖しまたは違ったやり方で閉じ込めるよう配置されている。
【００１６】
図２、図４、および図５に示されたカラーＣＯＬを備えた液体筒ＣＨ１を支持するため、装置ＤＣのフレームＦは、位置決め構造体ＧＲとして、位置決め溝ＧＲを更に有し、この位置決め溝ＧＲは、液体筒ＣＨ１をネストＮ内のその定位置に位置決めする。
【００１７】
測定の構成に関し、この段階では、装置ＤＣは、点滴を検出するために測定構造体ＴＸ，ＲＸを有することが注目され、この測定構成は、光学測定構造から成り、この場合、送信機要素ＴＸ、例えば光源、例えばＬＥＤ（発光ダイオード）は、光を液体筒ＣＨ１，ＣＨ２に通して受信機要素ＲＸに送るよう構成され、この受信機要素は、フォトトランジスタ、例えばすなわち、光を測定するトランジスタまたは液体の点滴が液体筒ＣＨ１，ＣＨ２内の測定ルートを通って落下する場合に受け取った信号の変化に基づいて検出を行う別の類似の検出器であるのが良い。ＬＥＤ、すなわち送信機要素ＴＸおよびその対としての光学受信機ＲＸは、装置の別々の枝部Ｓ１，Ｓ２内に配置され、これらの高さ位置は、これらが高い位置にあり、換言すると、ラッチＨＡが配置されている高さよりも装置の頂部の近くに位置するような高さ位置である。
【００１８】
ブロック図１２を参照すると、測定構成は、測定構造体、すなわち送信機ＴＸおよび受信機ＲＸに加えて、測定構造体と通信状態にあるマイクロコントローラユニット（ＭＣＵ）およびこれに接続されたディスプレイＤを有する。ＭＣＵは、とりわけ、光学送信機を制御するとともに光学受信機ＲＸによって提供された信号に基づいて、単位時間当たりの液体の点滴の量がどれほどであることが計算することによって、装置の動作を制御し、すなわち、ＭＣＵは、毎分の点滴個数の値を計算する。ＭＣＵはまた、投与された点滴の液体体積の合計量を計算する。ディスプレイＤは同時に、これがタッチスクリーンである場合にはユーザインターフェースであるのが良い。ユーザインターフェースによって、ユーザは、装置の設定値を変更することができ、しかも他の所望の測定を実施することができる。
【００１９】
ブロック図１２に示されている構造体は、装置ＤＣのフレームＦ内に位置し、ディスプレイＤは、フレームＦの底部、すなわち、液体筒ＣＨ１，ＣＨ２用のネストＮの下の領域に位置する。可視光領域に代えて、送信機要素ＴＸおよび受信機要素ＲＸは、赤外（ＩＲ）領域で動作することができ、したがって、送信機要素ＴＸは、例えばＩＲ‐ＬＥＤであるのが良い。ラッチ部分ＨＡは、単なる機械的構造体であり、と言うのは、ディスプレイＤおよびデータ処理ユニットＭＣＵは、フレームＦ内に位置し、これに関連して方向転換部分、すなわちラッチ部分ＨＡ内には位置していないからであり、この特徴は、動作の信頼性を高める。
【００２０】
図１１はまた、表示器ＩＬを示しており、この表示器は、ユーザに測定箇所を告げ、この測定箇所の高さから、液体筒ＣＨ１，ＣＨ２からの点滴の測定が行われる。表示器ＩＬは、可視光領域のＬＥＤであるのが良く、表示器ＩＬの役割は、ユーザを助けることにあり、と言うのは、実際の送信機ＬＥＤ  ＴＸは、特に送信機ＬＥＤ  ＴＸがＩＲ‐ＬＥＤである場合、その信号に関して検出性が貧弱だからである。
【００２１】
追加的にまたは代替的に、表示器ＩＬは、以下のように使用でき、つまり、ＭＣＵの助けを借りた装置は、液体点滴が測定構造体ＴＸ，ＲＸによって測定されたときに表示器ＩＬがその入力のところで受け取る制御を変化するよう構成され、それにより、表示器ＩＬは、その出力信号を変化するよう構成されている。実際には、この状況は、ＭＣＵによって制御される表示器ＩＬがオフに切り換えられまたは点滴がいったん検出されると実質的に薄暗くなる状況であるのが良く、この特徴は、点滴の到着を支持する際および／または単位時間当たりの点滴の個数に関して示唆する情報を提供する際にユーザの助けとして働くことができる。
【００２２】
装置ＤＣは、図１に示されている別の形式の輸液筒ＣＨ２に関し、輸液装置ＤＣのフレームＦが第２の位置決め構造体ＰＳ２，ＰＳ２２を有するようなものであり、この第２の位置決め構造体ＰＳ２，ＰＳ２２は、位置決め溝型の位置決め構造体ＧＲから距離を置いたところに位置するとともに装置ＤＣのフレームＦの垂直方向に関して位置決め溝型の位置決め構造体ＧＲとは異なる高さのところに配置される。図の実施例では、上述の距離は、数センチメートルである。それゆえ、この装置は、フレームＦの垂直方向においてネスト内に配置された輸液筒の上昇運動を阻止するよう配置された第２の位置決め構造体ＰＳ２，ＰＳ２２を有する。かくして、フレームＦの垂直方向における輸液筒の上昇運動を阻止するよう配置された第２の位置決め構造体ＰＳ２，ＰＳ２２は、位置決め溝型の位置決め構造体ＧＲから距離を置いたところに位置し、かくして、フレームＦの垂直方向に関し、位置決め溝型の位置決め構造体ＧＲとは異なる高さのところに配置される。位置決め構造体ＧＲと位置決め構造体ＰＳ２，ＰＳ２２の両方は、フレームＦの垂直方向における対応の輸液筒（互いに異なる時点において互いに異なる筒）の上昇運動を阻止するよう配置されている。
【００２３】
第２の位置決め構造体ＰＳ２，ＰＳ２２は、一実施形態では、フレームＦの垂直方向に関して高いところに、したがって、位置決め溝型の位置決め構造体ＧＲよりもフレームの頂縁の近くに配置されている。
【００２４】
フレームＦは、所要の形状および構造体が鋳造段階で作られまたは機械加工によって作られるプラスチック、例えばポリエチレンのものであるのが良い。フレームＦは、図１２に示されている構造体のための配置箇所を有する。
【００２５】
上述の第２の位置決め構造体ＰＳ２，ＰＳ２２は、特に、フレームに設けられたネストＮの頂部のところに配置され、したがって、一実施形態では、第２の位置決め構造体は、図示のようにフレームＦの頂部のところでフレームによって構成されたネストＮの頂部のところに配置される。
【００２６】
特に図１を参照すると、特定の観点から言えば、一実施形態は、第２の位置決め構造体ＰＳ２，ＰＳ２２がフレームＦの垂直方向においてネスト内に配置されるべき輸液筒ＣＨ２の上昇運動を阻止するよう配置されたネストの頂部の縮径構造体から成る構造体を有する。
【００２７】
図１の輸液筒ＣＨ２の頂部の外面は、第２の位置決め構造体ＰＳ２，ＰＳ２２の相手側として働くことが分かる。
【００２８】
図２、図４、および図５では、輸液筒の外側に位置するカラーＣＯＬは、第１の位置決め構造体ＧＲの相手側部品である。
【００２９】
図２、図４、および図５を参照すると、問題の第２の位置決め構造体ＰＳ２，ＰＳ２２もまた、明らかなこととして、カラーＣＯＬを備えた液体筒ＣＨ１を支持する装置ＤＣ上に存在することが明らかであるが、図２、図４、および図５では、位置決め構造体ＰＳ２，ＰＳ２２は、使用されていないことが注目されるが、と言うのは、異なる液体筒ＣＨ１が装置内に収納されているからであり、この異なる液体筒ＣＨ１は、そのカラーＣＯＬ、すなわちフランジによって、注目されるように第１の位置決め構造体である溝ＧＲに対して支持される。
【００３０】
送信機要素ＴＸ、例えばＬＥＤおよび受信機要素ＲＸ、例えばフォトトランジスタならびに表示器ＬＥＤ・ＩＬの物理的配置場所は、図１〜図３、図６、および図１１を同時に考察することによって最も良く示されている。一実施形態では、送信機要素ＴＸおよび受信機要素ＲＸは、カラーＣＯＬを備えた液体筒ＣＨ１を位置決めする溝ＧＲよりも高いところにかつ異なる使用状況において異なる種類の液体筒ＣＨ２を位置決めする位置決め構造体ＰＳ２，ＰＳ２２よりも低い位置に配置されていることが分かる。送信機要素ＴＸは、例えば、溝ＧＲの頂縁よりも８．５ｍｍ高いところに位置するのが良い。送信機要素ＴＸは、１つまたは２つ以上、例えば３つのＬＥＤを備えるのが良く、複数のＬＥＤが用いられる場合、これらは、一実施形態では、列をなした状態で互いに平行である。
【００３１】
図中、送信機要素ＬＥＤ、したがってＴＸは、装置を前から見たときに装置の左の枝部Ｓ２上に、したがって、ディスプレイＤ２側上に位置し、受信機要素ＲＸは、右側の枝部Ｓ１上に位置するが、その配置状態は逆であっても良い。図１１では、表示器ＬＥＤ・ＩＬは、枝部Ｓ１上に配置されるが、一実施形態では、図１〜図３および図６によれば、表示器は、好ましくは、送信機要素ＴＸと同一の枝部Ｓ２上に位置する。
【００３２】
表示器ＬＥＤ・ＩＬを測定箇所（ＴＸ，ＲＸが存在する）の付近に配置するにはちゃんとした理由があり、一実施形態では、表示器ＬＥＤ・ＩＬは、測定箇所から１０ｍｍ以下、すなわち、例えばＬＥＤ・ＴＸよりも４．５ｍｍ高いところに位置する。
【００３３】
次に、ラッチＨに関する問題について説明する。一実施形態では、ラッチは、図示のように、ラッチＨがネストＮの垂直方向に関して中央領域のところまたは下半分の領域に位置するような高さのところに配置され、と言うのは、かかる場合、ラッチＨは、液体筒ＣＨ１，ＣＨ２の可撓性圧縮面に押し付けられるからであり、と言うのは、液体筒ＣＨ１，ＣＨ２の中央領域と底部領域が代表的には圧縮性であり、その結果、ユーザが液体筒ＣＨ１，ＣＨ２を絞ることができるようになっているからである。ラッチＨのラッチ部分ＨＡと液体筒ＣＨ１，ＣＨ２の可撓性表面との接触により、ラッチＨのラッチ部分ＨＡと液体筒ＣＨ１，ＣＨ２との間に簡単で信頼性のある圧力が生じる。
【００３４】
一実施形態では、ラッチＨの垂直位置は、ラッチＨが第２の位置決め構造体ＰＳ２，ＰＳ２２よりもフレームＦの底部の近くに配置されるような位置である。ラッチＨの垂直位置は、ラッチＨが位置決め溝型の位置決め構造体ＧＲよりもフレームＦの底部の近くに配置されるような位置である。かくして、上述の実施形態の両方を考慮に入れると、ラッチＨの垂直位置は、ラッチＨがいずれの位置決め構造体ＧＲ，ＰＳ２／ＰＳ２２よりもフレームＦの底部の近くに配置されるような位置である。これら実施形態により、液体筒、すなわち液体筒ＣＨ１，ＣＨ２の支持の安定性が向上する。
【００３５】
特に図１〜図３を参照すると、一実施形態では、事実として、液体筒ＣＨ１，ＣＨ２向きのネストＮは、このネストＮの後ろに、輸液筒、例えばＣＨ１，ＣＨ２の追加の支持のための阻止構造体ＳＴ１，ＳＴ２を有している。阻止構造体ＳＴ１，ＳＴ２は、ラッチＨ，ＨＡが図１、図２、および図５の場合のように液体筒ＣＨ１，ＣＨ２を押したときにラッチＨのための合致面として働く。阻止構造体ＳＴ１，ＳＴ２は、ネストの両方の縁のところに位置する爪状構造体であり、爪の先端領域は、特に、これらの曲率に起因して筒ＣＨ１，ＣＨ２の表面の形状と同じ形状を取り、その結果、筒を右側スポット内に心出しする。
【００３６】
阻止構造体ＳＴ１，ＳＴ２が送信領域ＨＯを有することが分かり、この送信領域ＨＯは、液体筒ＣＨ１，ＣＨ２越しの視認性を阻止する開口部か別の透明な領域かのいずれかである。図の実施例では、阻止構造体は、湾曲した表面を有し、その目的は、液体筒ＣＨ１，ＣＨ２の形状と同じ形状を取ることにある。阻止構造体ＳＴ１，ＳＴ２中の送信領域ＨＯは、阻止構造体の互いに異なる側部、例えば、半部ＳＴ１，ＳＴ２相互間に位置する。
【００３７】
支持状態を向上させるため、一実施形態では、ネストＮの後ろのところに位置する阻止構造体ＳＴ１，ＳＴ２は、ネストＮを閉鎖しまたは違ったやり方でネストＮを閉じ込めるラッチＨと実質的に同一の高さのところに位置する。さらに、事実として、一実施形態では、阻止構造体ＳＴ１，ＳＴ２は、ネストＮの垂直方向に対してネストＮの中央領域のところに位置する。
【００３８】
図の実施例では、ネストＮの横方向幅の中央領域のところに位置する阻止構造体ＳＴ１，ＳＴ２の高さは、特に、ネストＮの高さの約１／８に過ぎない。阻止構造体ＳＴ１，ＳＴ２はまた、十分な視認性が保たれる限り、ネストＮの高さの上述の１／８よりも著しく高い位置にあっても良く、阻止構造体ＳＴ１，ＳＴ２のラッチの高さは、例えば、ネストＮの高さの１／４または１／２以下であるのが良い。
【００３９】
フレームＦの上側部分は、枝部状であり、互いに向かい合った互いに平行な枝部Ｓ１，Ｓ２から成り、したがって、輸液筒ＣＨ１，ＣＨ２のためのネストＮは、フレームの枝部Ｓ１，Ｓ２相互間に位置する。
【００４０】
ラッチＨ，ＨＡが視認性をそれほど妨げないようにするため、一実施形態では、フレームの垂直方向におけるラッチＮの高さは、輸液筒ＣＨ１，ＣＨ２用のネストＮの高さよりも低い。ラッチＨは、ネストＮの高さ方向の中央領域のところに位置し、したがって、透明度は、ラッチＨの下に位置するＷ１のところとラッチの上に位置するＷ２のところの両方において保たれることになる。
【００４１】
図の実施形態では、ネストＮの横方向幅の中央領域のところのラッチＨ，ＨＡの高さは、特にネストＮの高さの約１／５に過ぎない。ラッチＨ，ＨＡはまた、十分な視認性が保たれる限り、ネストＮの高さの上述の１／５よりも著しく高い位置にあっても良く、ラッチＨの高さは、例えば、ネストＮの高さの１／２以下であるのが良い。
【００４２】
一実施形態では、ネストＮは、ラッチＨの上方の領域に、開口部または別の透明な領域Ｗ１を有し、それに対応して、ネストＮは、ラッチＨの下の領域に、開口部または別の透明な領域を有する。ネストが開口部を有する場合、これにより、ユーザが液体筒ＣＨ１，ＣＨ２を容易に絞り、掴み、または違ったやり方で取り扱うことができるという追加の利点が得られる。領域Ｗ１，Ｗ２の開口部に代えて、これまた視認性の実現を可能にする透明な壁が設けられても良い。
【００４３】
ラッチＨは、開放可能であり、すなわち方向転換することができ、すなわち回転可能なラッチ部分ＨＡを有するとともに更に、フレームＦに対するラッチ部分ＨＡの方向転換運動のための回転、すなわち回転運動を可能にする締結具ＦＸを有し、ラッチＨは、更に、フレームの枝部Ｓ２に設けられた相手側部品によってフレームＦに対してラッチ部分ＨＡの自由端部ＨＡＥを閉鎖するための閉鎖手段ＣＬを有する。回転締結具は、フレームの枝部Ｓ１の側に位置する。
【００４４】
次に、図８Ａおよび図８Ｂの実施形態について考察する。ラッチ部分ＨＡのための今やＦＸ８で示された上述の回転締結具は、ラッチ部分ＨＡをフレームＦから取り外したりこれをフレームＦに取り付けたりするための迅速離脱式またはクイックリリースの回転締結具である。取り外し／取り付けは、枝部Ｓ１に関して行われる。
【００４５】
図８Ａおよび図８Ｂのクイックリリース回転締結具ＦＸ８は、ばねボタンＢ１，Ｂ２を有し、ばねボタンＢ１，Ｂ２は、矢印Ａ，Ｂにしたがって互いに向かって押されると、フレームＦの枝部Ｓ１のヒンジブラケットＨＩ中に設けられている垂直ばねピンＤＤを短く押し、それによりラッチ部分ＨＡは、矢印Ｃによって示されているようにフレームＦの枝部Ｓ１から外される。
【００４６】
次に、今やＦＸ９で示されたクイックリリース回転締結具に関し、したがって実際にはラッチ部分ＨＡの締結具の代替手段について図９Ａ〜図９Ｅ、および図１０を参照して説明する。ラッチ部分ＨＡに関して今や図ＦＸ９で示された回転締結具は、ラッチ部分ＨＡをフレームＦから取り外したりこれをフレームＦに取り付けたりするためのクイックリリース回転締結具である。取り外し／取り付けは、枝部Ｓ１に関して行われる。この実施形態では、ラッチ部分のためのこのクイックリリース回転締結具は、プッシュ回転構造体ＰＴ１，ＰＴ２，ＰＴ３，ＰＴ４，ＰＴ５を有し、これらプッシュ回転構造体によって、ラッチ部分ＨＡは、装置のフレームＦに取り付け可能であったり装置のフレームＦから取り外し可能であったりするよう構成されている。
【００４７】
図９Ａ〜図９Ｅおよび図１０では、ラッチ部分ＨＡのためのクイックリリース回転締結具ＦＸ９は、ラッチ部分ＨＡ内に、ピンまたは類似の突出部ＰＴ１を有し、問題の突出部ＰＴ１に関し、フレームＦには、すなわち特にフレームの枝部Ｓ１には、溝または他の類似の運動空間ＰＴ２，ＰＴ３が設けられ、これらの溝ＰＴ２，ＰＴ３は、相互に交差する方向に延び、と言うのは、これは、ラッチ部分ＨＡの押す運動と回転する運動の連続した組み合わせに関するからである。加うるに、ロック膨らみ部ＰＴ４が設けられ、このロック膨らみ部は、溝ＰＴ３内の更に後方に位置するのが良い。加うるに、クイックリリース回転締結具ＦＸ９は、ラッチ部分の突出部ＰＴ１の壊れることのない動きを阻止する壁ＰＴ５を有する。壁ＰＴ５は、それ同時に、その後ろに溝ＰＴ３を閉じ込め、更にまた、溝ＰＴ２をその下に閉じ込める。
【００４８】
したがって、ラッチ部分ＨＡは、図９Ａ、図９Ｂの位置においてフレームＦの枝部Ｓ１の方へ押され、それによりラッチ部分ＨＡの端のところに位置する突出部ＰＴ１は、フレームＦの第１の溝ＰＴ２に沿って進み、次に図９Ｃ、図９Ｄに示されているように、ラッチ部分ＨＡは、溝ＰＴ３に沿って更に後方に時計回りに回され、ついには、ラッチ部分ＨＡの端のところの突出部ＰＴ１がロック膨らみ部ＰＴ４を通過し、そしてその後ろでそれ自体ロックする。このように、ラッチ部分は、フレームＦの枝部Ｓ１上に迅速離脱式にロックされる。ラッチ部分ＨＡの取り外しは、逆の動作で起こる。ラッチ部分ＨＡの容易な取り外し性／取り付け性により、装置部分の洗浄が容易である。
【００４９】
図７を参照すると、一実施形態では、ラッチＨの最も本質的な部分、すなわちラッチ部分ＨＡは、その内面上に（液体筒ＣＨ１，ＣＨ２に当たっている表面）に、可撓性構造体ＦＬを有し、この可撓性構造体は、例えば図７の場合のように可撓性峡部である。したがって、可撓性構造体ＦＬは、液体筒ＣＨ１，ＣＨ２用のネストＮの方へ差し向けられる。図７はまた、ラッチ部分ＨＡをフレームＦの枝部Ｓ１に設けられているヒンジブラケットＨＩに回転可能に締結するために用いられるラッチ部分ＨＡの締結箇所ＨＨ１，ＨＨ２を示しており、さらに、ラッチ部分ＨＡの自由端部ＨＡＥによって構成される閉鎖手段ＣＬが締結される締結箇所ＨＨ２１，ＨＨ２２を示している。図８Ａ、図８Ｂまたは図９Ａ〜図９Ｅは、ラッチ部分ＨＡの自由端部ＨＡＥのところに位置する問題の閉鎖手段ＣＬを示してはいない。
【００５０】
一実施形態では、この装置は、この装置への点滴筒、例えばＣＨ１および管類の取り付けおよび／またはこれらの取り外しの機構体は、片手を用いて管理されるよう構成されるように具体化される。かくして、ラッチＨＡは、片手式のラッチである。したがって、例示の使用状況では、右手は、装置を一箇所で保持するために用いられ、したがって、装置のディスプレイＤは、底部のところかつ装置箇所の上方の枝部Ｓ１，Ｓ２のところに位置し、人差し指がラッチＨＡに触り／ラッチＨＡ上に伸びるようになっている。人差し指を手のひらに向かって曲げることによって、ラッチＨＡが開く。すると、例えば管を備えた点滴筒ＣＨ１がネストＮ内の定位置に収納され、次に、人差し指を用いてラッチＨＡを解除し、ロック部を閉じ位置で押す。同じ原理は、他形式の点滴筒ＣＨ２に当てはまる。
【００５１】
当業者であれば、技術の進歩につれ、本発明の基本的な思想は、多種多様な仕方で具体化できることが明らかであることが分かろう。かくして、本発明およびその実施形態は、上述の実施形態には限定されず、特許請求の範囲に記載された本発明の範囲内において変形が可能である。
【図１】
2019514572.tif 000003
【図２】
2019514572.tif 000004
【図３】
2019514572.tif 000005
【図４】
2019514572.tif 000006
【図５】
2019514572.tif 000007
【図６】
2019514572.tif 000008
【図７】
2019514572.tif 000009
【図８Ａ】
2019514572.tif 000010
【図８Ｂ】
2019514572.tif 000011
【図９Ａ】
2019514572.tif 000012
【図９Ｂ】
2019514572.tif 000013
【図９Ｃ】
2019514572.tif 000014
【図９Ｄ】
2019514572.tif 000015
【図９Ｅ】
2019514572.tif 000016
【図１０】
2019514572.tif 000017
【図１１】
2019514572.tif 000018
【図１２】
2019514572.tif 000019
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
輸液点滴を計数する計数装置であって、前記計数装置が別個の輸液筒用のネスト（Ｎ）を有するフレーム（Ｆ）および前記輸液筒を前記ネスト（Ｎ）内に保つよう前記ネスト（Ｎ）を閉鎖しまたは違ったやり方で閉じ込めるよう配置されたラッチ（Ｈ，ＨＡ）を有し、前記計数装置フレーム（Ｆ）が前記輸液筒を支持する位置決め構造体（ＧＲ）として位置決め溝を更に有し、前記計数装置が前記点滴を検出する測定構造体（ＴＸ，ＲＸ，ＭＣＵ）を更に有する、計数装置において、異なる形式の輸液筒に関し、前記計数装置の前記フレームは、前記フレーム（Ｆ）の垂直方向における前記ネスト内に配置された前記輸液筒の上昇運動を阻止するよう配置された第２の位置決め構造体（ＰＳ２，ＰＳ２２）を有し、前記フレーム（Ｆ）の前記垂直方向における前記輸液筒の前記上昇運動を阻止するよう配置された前記第２の位置決め構造体（ＰＳ２，ＰＳ２２）は、前記位置決め溝型の前記位置決め構造体（ＧＲ）から距離を置いたところに位置するとともに、前記フレーム（Ｆ）の前記垂直方向に関して前記位置決め溝型の前記位置決め構造体（ＧＲ）とは異なる高さのところに配置されている、計数装置。
【請求項２】
前記第２の位置決め構造体（ＰＳ２，ＰＳ２２）は、前記フレームの前記垂直方向に関して高いところに配置され、したがって前記位置決め溝型の前記位置決め構造体（ＧＲ）よりも前記フレーム（Ｆ）の頂縁の近くに位置している、請求項１記載の計数装置。
【請求項３】
前記第２の位置決め構造体（ＰＳ２，ＰＳ２２）は、前記フレーム（Ｆ）の前記ネスト（Ｎ）の頂部のところに配置されている、請求項１または２記載の計数装置。
【請求項４】
前記第２の位置決め構造体（ＰＳ２，ＰＳ２２）は、前記フレームの頂部のところに位置する前記フレーム（Ｆ）の構成要素である前記ネスト（Ｎ）の前記頂部のところに配置されている、請求項３記載の計数装置。
【請求項５】
前記第２の位置決め構造体は、前記フレームの前記垂直方向における前記ネスト内に配置された前記輸液筒の前記上昇運動を阻止するよう配置された前記ネストの前記頂部の縮径構造体から成る、請求項１〜４のうちいずれか一に記載の計数装置。
【請求項６】
前記ラッチの垂直位置は、前記ラッチが前記第２の位置決め構造体よりも前記フレームの底部の近くに配置されるような位置である、請求項１記載の計数装置。
【請求項７】
前記ラッチの垂直位置は、前記ラッチが前記位置決め溝型の前記位置決め構造体よりも前記フレームの底部の近くに配置されるような位置である、請求項１または５記載の計数装置。
【請求項８】
前記ラッチの前記垂直位置は、前記ラッチが前記位置決め構造体よりも前記フレームの前記底部の近くに配置されるような位置である、請求項６または７記載の計数装置。
【請求項９】
前記ネスト（Ｎ）は、前記ネストの後ろのところに、前記輸液筒（ＣＨ１，ＣＨ２）の追加の支持のための阻止構造体（ＳＴ１，ＳＴ２）を有する、請求項１記載の計数装置。
【請求項１０】
前記ネスト（Ｎ）内の前記阻止構造体（ＳＴ１，ＳＴ２）は、前記ネストを閉鎖しまたは違ったやり方で前記ネストを閉じ込める前記ラッチ（Ｈ，ＨＡ）と実質的に同じ高さのところに位置している、請求項９記載の計数装置。
【請求項１１】
前記阻止構造体（ＳＴ１，ＳＴ２）は、前記ネスト（Ｎ）の前記垂直方向に関して前記ネスト（Ｎ）の中央領域に位置している、請求項９または１０記載の計数装置。
【請求項１２】
前記フレーム（Ｆ）は、互いに向かい合った互いに平行な枝部（Ｓ１，Ｓ２）を有し、前記輸液筒用の前記ネスト（Ｎ）は、前記フレームの前記枝部（Ｓ１，Ｓ２）相互間に位置している、請求項９〜１１のうちいずれか一に記載の計数装置。
【請求項１３】
前記フレームの前記垂直方向における前記ラッチの高さは、前記輸液筒用の前記ネストの高さよりも低い、請求項１または７記載の計数装置。
【請求項１４】
前記ネスト（Ｎ）は、前記ラッチ（Ｈ）の上方の領域のところに、開口部または別の透明な領域（Ｗ１）を有する、請求項１または１３記載の計数装置。
【請求項１５】
前記ネスト（Ｎ）は、前記ラッチ（Ｈ）の下方の領域に、開口部または別の透明な領域（Ｗ２）を有する、請求項１、１３または１４記載の計数装置。
【請求項１６】
前記ラッチ（Ｈ）は、開放可能なラッチ部分（ＨＡ）を有するとともに更に、前記フレームに対して前記ラッチ部分の回転運動のために回転を可能にする締結具および前記フレーム（Ｆ）に対して前記ラッチ部分（ＨＡ）の自由端部（ＨＡＥ）を閉鎖する閉鎖手段（ＣＬ）を有する、請求項１または７記載の計数装置。
【請求項１７】
前記回転を可能にする締結具は、前記フレーム（Ｆ）の前記第１の枝部（Ｓ１）のところに位置し、前記閉鎖手段は、前記フレーム（Ｆ）の前記第２の枝部（Ｓ２）のところに位置している、請求項１２または１６記載の計数装置。
【国際調査報告】
2019514572.tif 000020
2019514572.tif 000021
2019514572.tif 000022